(57)【要約】      （修正有）【課題】ヘッドホンスタンドに掛けたままでも、ヘッドホンの音を正面方向に出して聞くことが出来るヘッドホンスタンド装置を提供する。【解決手段】支柱８の下部側面の左右にそれぞれ側板９、１０を設け、側板の更に下部側面の左右にそれぞれ保持板１１、１２を設ける手段により、重量のあるヘッドホン４の部分を保持板に乗せ、安定を保ち、重量の軽い部分を支柱上部に置くようにする。また支柱の両側面の側板のヘッドホンのイヤーパッド６が当る部分の中心部に穴をあけ、更に側板の前面に穴をあけ、穴と穴を空洞でつなぎ、音の通路を設ける手段により、ヘッドホンの音を正面から聞くことが出来る。【選択図】図６
0003181543.tif 000002
【実用新案登録請求の範囲】
【請求項１】
中央に設けられた後ろ向きに角度を持った板状の支柱と、ヘッドホンのイヤーパッドが側面に当る、支柱の下部両側面に設けられた側板と、側板の外側の下部側面に設けられたイヤーパッドを支える保持板とによる構成からなり、ヘッドホンを掛けたときに、重いヘッドホンのイヤーパッド部分を保持板に乗せ、軽いヘッドバンド部を支柱上部に乗せ、支柱に添えるようにして、置くことが出来、ヘッドホンの主な重量を、保持板で受け、保持板及び側板の下面で支えることにより、安定にヘッドホンを掛けることが出来るように成したことを特徴とするヘッドホンスタンド装置。
【請求項２】
側板の側面のヘッドホンのイヤーパッドが当る部分の中心部に穴を開け、更に側板の前面に穴を開け、穴と穴を空洞でつなぎ、音の通路を設けることにより、ヘッドホンの音が正面から出るように成したことを特徴とする、請求項１のヘッドホンスタンド装置
【考案の詳細な説明】
【技術分野】
【０００１】    本考案は、オーバーヘッドバンド型のヘッドホンを掛けて置くための、ヘッドホンスタンド装置に関する。
【背景技術】
【０００２】    従来のオーバーヘッドバンド型のヘッドホンスタンド装置は、上部にあるヘッドホン掛けにヘッドホンを掛ける方法のものであり、ヘッドホン掛けに掛けることなく、支柱に添えるようにして、置くことが出来るものは無い。またそのような状態で、ヘッドホンの音を正面に出すことの出来るものは無い。
【先行技術文献】
【特許文献】
【考案の概要】
【考案が解決しようとする課題】
【０００３】    従来のヘッドホンスタンドの上部のヘッドホン掛けにヘッドホンのヘッドバンドを掛ける方法は、ヘッドホン掛けにヘッドホンの全重量が加わるため、安定性に欠け、それを支える為の、ヘッドホン掛けと支柱の強度を保つことが必要であり、更に支柱を安定して立てるために、支える台は倒れない為の重量と底面積が必要になる。またヘッドホンをヘッドホンスタンドに掛けたまま、ヘッドホンの音を出すと、従来のヘッドホンスタンドでは、左右のイヤーパッドが支柱両側面に接触したとき、音が密閉されるため、ヘッドホンユニットからの音は聞こえない。このためヘッドホンスタンドに掛けたままでも、ヘッドホンの音を正面方向に出して聞きたいという課題がある。
【課題を解決するための手段】
【０００４】    この課題を達成する為、本考案装置は、オーバーヘッドバンド型ヘッドホンを掛けるとき、ヘッドホンスタンドの支柱にそえるようにして置き、支柱の両側面に側板を設け、側板の更に側面に保持板を設ける手段により、重量のあるヘッドホンのヘッドホンユニット部及びイヤーパッドの部分を保持板に乗せ保持板下面で支え、安定を保ち、重量の軽いヘッドバンドの部分を支柱上部に置くようにする。また支柱の両側面の側板のヘッドホンのイヤーパッドが当る部分の中心部に穴をあけ、更に側板の前面に穴をあけ、穴と穴を空洞でつなぎ、音の通路を設ける手段により、ヘッドホンの音を正面から聞くことが出来るようにしたヘッドホンスタンド装置。
【考案の効果】
【０００５】    上記手段及び構成による本考案によれば、専用のヘッドホン掛けや台は不要となり、生産コストを抑えることができ、ヘッドホンを安定して置くことができる。更に側板の側面穴から入ったヘッドホンの音は、側板の前面の穴に出て来て、ヘッドホンの音をヘッドホンスタンドの正面にて聞くことが出来る。
【図面の簡単な説明】
【０００６】
【図１】従来の一実施例を示すヘッドホンスタンド装置の正面図
【図２】従来の一実施例を示すヘッドホンスタンド装置の側面図
【図３】従来の一実施例を示すヘッドホンスタンド装置のヘッドホンを掛けた時の正面図
【図４】本考案の一実施例を示すヘッドホンスタンド装置の正面図▲１▼
【図５】本考案の一実施例を示すヘッドホンスタンド装置の側面図▲１▼
【図６】本考案の一実施例を示すヘッドホンスタンド装置のヘッドホンを掛けた時の正面図▲１▼
【図７】本考案の一実施例を示すヘッドホンスタンド装置の支柱▲２▼８の右側構成を示す図
【図８】本考案の一実施例を示すヘッドホンスタンド装置の支柱▲２▼８の左側構成を示す図
【図９】本考案の一実施例を示すヘッドホンスタンド装置の右側板▲２▼の詳細を示す図
【図１０】本考案の一実施例を示すヘッドホンスタンド装置の左側板▲２▼の詳細を示す図
【図１１】本考案の一実施例を示すヘッドホンスタンド装置の正面図▲２▼
【図１２】本考案の一実施例を示すヘッドホンスタンド装置の側面図▲２▼
【図１３】本考案の一実施例を示すヘッドホンスタンド装置のヘッドホンを掛けた時の正面図▲２▼
【図１４】本考案の一実施例を示すヘッドホンスタンド装置のヘッドホンを掛けた時の側面図▲２▼
【考案を実施するための形態】
【実施例】
【０００７】    以下、本考案を具体化した実施例を図１から図１４を参照にして説明する。図１、図２、図３は、従来のヘッドホンスタンド装置の一実施例である。台３の中央部に支柱▲１▼２が固定され支柱▲１▼２の上部にヘッドホン掛け１が取り付けられている。図３はヘッドホンスタンド装置にヘッドホンを掛けたときの正面図である。ヘッドホンの重心は、上部のヘッドホン掛け１でつり上げられている為、安定性に欠ける。またイヤーパッド６が支柱▲１▼２の側面に接触し、この状態でヘッドホンより音を出したとき、ヘッドホンの音は密閉され、前面に出てこない事がわかる。図４から図１４までは、本考案のヘッドホンスタンド装置の一実施例である。図４は正面図▲１▼、図５は側面図▲１▼である。中央に設けられた後ろ向きに任意の角度を持った板状の支柱▲２▼８の下部両側面には、右側板▲１▼９、左側板▲１▼１０、右保持板１１、左保持板１２が固定される。夫々の材質は、木材、金属、プラスチック等限定するものではない。また夫々の固定方法は、ねじ、接着、溶着等限定するものではない。また成型や切削加工等の方法による一体製作の方法でも良い。右側板▲１▼９と左側板▲１▼１０は、ヘッドホンのイヤーパッド６が側面に当る。形は半円形の形をしているが、この形に限らず、イヤーパッド６が側面に当る部分は円形が望ましいが、その形を超える部分は、円形の必要はない。右保持板１１と左保持板１２は、ヘッドホンの重量のあるヘッドホンユニット部７及びイヤーパッド６の部分を乗せる。形状はイヤーパッドの形状に合わせて曲線が望ましいが、限定するものではない。右側板▲１▼９、左側板▲１▼１０、右保持板１１、左保持板１２の下面はヘッドホンを置いた時、ヘッドホンの重量を支え、左右に倒れるのを防ぐ役目を持つ。支柱▲２▼８の下面は、ヘッドホンを置いた時、主に支柱上部に接触するヘッドバンド５の重力を支え、後に倒れるのを防ぐ役目を持つ。図６はヘッドホンスタンド装置にヘッドホンを掛けた時の正面図▲１▼である。図７は支柱▲２▼８の右側構成を示す図である。図８は支柱▲２▼８の左側構成を示す図である。各構成部品は、夫々矢印で示した位置に固定される。図９は右側板▲２▼１３の詳細を示す図である。右側板▲２▼１３の右側面のイヤーパッド６が接触する中心部に右側板側面穴１５が開けられ、右側板▲２▼１３の前面に右側板前面穴１７が開けられている。穴と穴は空洞でつなげられ、音の通路が出来ている。右側板側面穴１５から入ったヘッドホンの音は、右側板前面穴１７から音がでる。図１０は左側板▲２▼１４の詳細を示す図である。▲２▼１４の左側面のイヤーパッド６が接触する中心部に左側板側面穴１６が開けられ、左側板▲２▼１４の前面に左側板前面穴１８が開けられている。穴と穴は空洞でつなげられ、音の通路が出来ている。左側板側面穴１６から入ったヘッドホンの音は、左側板前面穴１８から音がでる。左右側板の側面穴径はイヤーパッド６の径より小さいものとする。図１１は正面図▲２▼、図１２は側面図▲２▼である。穴の開いた、右側板▲２▼１３、左側板▲２▼１４を使用している。図１３はヘッドホンを掛けた時の正面図▲２▼、図１４はヘッドホンを掛けた時の側面図▲２▼��ある。オーバーヘッドバンド型ヘッドホン４を、支柱▲２▼８に添えるようにして、置くことが出来る様子を示す。またイヤーパッド６は、右側板▲２▼１３、左側板▲２▼１４の側面に接触し、ヘッドホンの音は、右側板前面穴１７、左側板前面穴１８から、ヘッドホンスタンド正面に出すことができる様子を示す。また左右の音の通路は、別々に分離しているため、ステレオ感を保つことが出来る。
【符号の説明】
【０００８】１  ヘッドホン掛け
２  支柱▲１▼
３  台
４  オーバーヘッドバンド型ヘッドホン
５  ヘッドバンド
６  イヤーパッド
７  ヘッドホンユニット部
８  支柱▲２▼
９  右側板▲１▼
１０  左側板▲１▼
１１  右保持板
１２  左保持板
１３  右側板▲２▼
１４  左側板▲２▼
１５  右側板側面穴
１６  左側板側面穴
１７  右側板前面穴
１８  左側板前面穴
【図１】
0003181543.tif 000003
【図２】
0003181543.tif 000004
【図３】
0003181543.tif 000005
【図４】
0003181543.tif 000006
【図５】
0003181543.tif 000007
【図６】
0003181543.tif 000008
【図７】
0003181543.tif 000009
【図８】
0003181543.tif 000010
【図９】
0003181543.tif 000011
【図１０】
0003181543.tif 000012
【図１１】
0003181543.tif 000013
【図１２】
0003181543.tif 000014
【図１３】
0003181543.tif 000015
【図１４】
0003181543.tif 000016